(57)【要約】【課題】タンク上部の防護枠内で安全に作業が行えるように手摺りを設けたタンクローリーを提供する。【解決手段】タンクの上部周辺に設けた防護枠２の内側に、防護枠２よりも高い位置に突出する手摺り３を防護枠２の内側に折り畳み可能に設ける。【選択図】図１
2008290570.tif 000002
【特許請求の範囲】
【請求項１】
タンクの上部周辺に設けた防護枠の内側に、防護枠よりも高い位置に突出する手摺りを防護枠の内側に折り畳み可能に設けてなることを特徴とするタンクローリー。
【請求項２】
手摺りは、防護枠の少なくとも一方側のサイド枠部の基板部上にタンク長手方向に一定間隔おきに設けられた支柱受けと、各支柱受けに枢着されて、基板部上面に近接するように折り畳み可能な複数本の手摺支柱と、各手摺支柱の上端部をつなぐように各手摺支柱の上端部に枢支連結されて、手摺支柱と平行に折り畳み可能な手摺杆と、各手摺支柱を直立位置に固定する支柱固定手段とからなることを特徴とする請求項１に記載のタンクローリー。
【請求項３】
手摺りには、各手摺支柱が基板部上面に近接するように折り畳まれると共に手摺杆が手摺支柱と平行に折り畳まれた位置で手摺杆を固定する手摺杆固定手段を設けてなることを特徴とする請求項２に記載のタンクローリー。
【発明の詳細な説明】
【技術分野】
【０００１】
本発明は、各種液体を充填して輸送するタンクローリーに関するもので、特にタンク上部での高所作業の安全性を確保し得るタンクローリーに関する。
【背景技術】
【０００２】
従来のタンクローリーとしては例えば下記特許文献１に記載されたようなものがある。このタンクローリーには、タンクの上部周辺に矩形枠状の防護枠が設けてあって、作業者がタンク上部のマンホールの蓋部の開閉作業や底弁の開閉操作をする際に、タンク上部で過って足が滑っても滑り落ちることがないようになっている。
【特許文献１】実開昭６０−４３５９２号公報
【発明の開示】
【発明が解決しようとする課題】
【０００３】
上記特許文献１に記載のような防護枠は、防護枠の高さが低いことから、タンク上部で作業者が立ったまま作業を行う時に手や体を支えるところがなく、足を滑らせるなどして倒れるような状態となった時などに非常に危険であった。本発明は、そのような危険性を回避することのできるタンクローリーを提供することを目的とする。
【課題を解決するための手段】
【０００４】
上記課題を解決するための手段を、後述する実施形態の参照符号を付して説明すると、請求項１に係る発明のタンクローリーは、タンク１の上部周辺に設けた防護枠２の内側に、防護枠２よりも高い位置に突出する手摺り３を防護枠２の内側に折り畳み可能に設けてなることを特徴とする。
【０００５】
請求項２は、請求項１に記載のタンクローリーにおいて、手摺り３は、防護枠２の少なくとも一方側のサイド枠部４の基板部７上にタンク長手方向に一定間隔おきに設けられた支柱受け１０と、各支柱受け１０に枢着されて、基板部７上面に近接するように折り畳み可能な複数本の手摺支柱１１と、各手摺支柱１１の上端部をつなぐように各手摺支柱１１の上端部に枢支連結されて、手摺支柱１１と平行に折り畳み可能な手摺杆１２と、各手摺支柱１１を直立位置に固定する支柱固定手段１３とからなることを特徴とする。
【０００６】
請求項３は、請求項２に記載のタンクローリーにおいて、手摺り３には、各手摺支柱１１が基板部７上面に近接するように折り畳まれると共に手摺杆１２が手摺支柱１１と平行に折り畳まれた位置で手摺杆１２を固定する手摺杆固定手段１４を設けてなることを特徴とする。
【発明の効果】
【０００７】
上記解決手段による発明の効果を、後述する実施形態の参照符号を付して説明すると、請求項１に係る発明のタンクローリーによれば、タンク１の上部周辺に設けた防護枠２の内側に、防護枠２よりも高い位置に突出する手摺り３を折り畳み可能に設けたから、防護枠２内でのマンホール蓋部の開閉作業や底弁の開閉操作を安全に行うことができる。即ち、防護枠２内で作業者が立ったまま作業を行っている時に作業者は手摺り３の手摺杆１２で手を支えることができるため、安心して作業が行えると共に、足を滑らせるなどして倒れる状態になっても、手や体の一部を手摺り３の手摺杆１２や手摺支柱１１にあずけることができるので、防護枠２から落下する危険性を回避することができる。
【０００８】
請求項２に係る発明によれば、防護枠２の少なくとも一方側のサイド枠部４の基板部７上にタンク長手方向に一定間隔おきに設けられた支柱受け１０と、各支柱受け１０に枢着されて、基板部７上面に近接するように折り畳み可能な複数本の手摺支柱１１と、各手摺支柱１１の上端部をつなぐように各手摺支柱１１の上端部に枢支連結されて、手摺支柱１１と平行に折り畳み可能な手摺杆１２と、各手摺支柱１１を直立位置に固定する支柱固定手段１３とからなるため、防護枠２内の片側にコンパクトに折り畳んでおけると共に、手摺り使用時には使用可能な状態に迅速容易にセットすることができる。
【０００９】
請求項３に係る発明によれば、手摺支柱１１が基板部７上面に近接するように折り畳まれると共に手摺杆１２が手摺支柱１１と平行に折り畳まれた位置で手摺杆１２を固定する手摺杆固定手段１４を設けたから、折り畳んだ手摺り３の手摺杆１２を固定しておけば、タンクローリーの走行中に手摺り３が振動でガタついたり、またそのガタツキによって部材が破損するようなことがない。
【発明を実施するための最良の形態】
【００１０】
以下に本発明の好適な一実施形態を図面に基づいて説明すると、図１は本発明に係るタンクローリーの上部側をその前方から見た斜視図であり、図２の(a) は同タンクローリーの上部側を側方から見た概略側面図、(b) はタンクローリーの前部側から見た一部端面図である。これらの図面において、１はタンクローリーの車体（図示せず） に搭載されたタンクで、このタンク１の上部周辺には防護枠２が設置されており、この防護枠２内側に、防護枠２よりも高い位置に突出する手摺り３が折り畳み可能に設けられている。
【００１１】
防護枠２は、図１に示すように、タンク長手方向に延びる左右両側のサイド枠部４，４と、両サイド枠部４，４の前後端部をつなぐ前後枠部５，６とにより矩形枠状に形成されたもので、タンク１の頂部１ｏに設けられた夫々複数のマンホールの蓋部８や底弁操作部９等を取り囲むようにタンク１の上部周辺に設置されている。また、左右サイド枠部４，４の内側部下端からは基板部７，７が夫々防護枠２の内方へ直角に延設され、両基板部７，７はタンク１の頂部１ｏを挟んでその両側部に接するように取り付けられている（図４の(a) 及び図６参照）。
【００１２】
手摺り３は、図１及び図３から分かるように、防護枠２の一方側のサイド枠部４の基板部７上にタンク長手方向に一定間隔おきに設けられた支柱受け１０と、各支柱受け１０に枢着されて、基板部７上面に近接するようにタンク長手方向に折り畳み可能な複数本の手摺支柱１１と、各手摺支柱１１の上端部をつなぐように各手摺支柱１１の上端部に枢支連結されて、手摺支柱１１と平行に折り畳み可能な手摺杆１２と、各手摺支柱１１を直立位置に固定する支柱固定手段１３と、各手摺支柱１１が防護枠２の基板７に近接するように折り畳まれると共に手摺杆１２が手摺支柱１１と平行に折り畳まれた位置で手摺杆１２を固定する手摺杆固定手段１４とからなる。
【００１３】
上記手摺り３の構造について詳しく説明すると、手摺支柱１１の下端枢着金具１５が支柱受け１０にピン１８で枢着されると共に、手摺支柱１１の上端枢着金具１６が手摺杆１２の下側部に固着された取付金具１７にピン１９で枢着されており、しかして各手摺支柱１１は、図２の(a) に示すように基板７上に伏するように前方側へ折り畳まれると共に、手摺杆１２は、手摺支柱１１と平行に折り畳まれるようになっている。
【００１４】
支柱固定手段１３は、図４から分かるように、サイド枠部４の内側面所要部の手摺支柱直立位置に取り付けられた取付ブラケット２０と、このブラケット２０にヒンジ３０によって枢着され、手摺支柱１１に外嵌可能な半割パイプ状の掴み部材２１と、この掴み部材２１の先端部と取付ブラケット２０とにわたって介設されたパッチン錠２２，２３とからなるもので、図４の(c) に示すように手摺支柱１１を取付ブラケット２０の内側端面に当接させた直立位置で掴み部材２１を待機位置から回動させて手摺支柱１１に嵌合した後、パッチン錠２２，２３で掴み部材２１を取付ブラケット２０に施錠することによって、手摺支柱１１を直立位置に固定することができる。
【００１５】
上記支柱固定手段１３は、全ての手摺支柱１１に対して設ける必要はなく、例えば図１に示すように手摺り３の一つ置きに設ければよい。
【００１６】
手摺杆固定手段１４は、図５の(a) に示すように各手摺支柱１１が防護枠２の基板部７に近接するように直角に折り畳まれると共に手摺杆１２が手摺支柱１１と平行するように折り畳まれた折り畳み位置で手摺杆１２を固定するもので、手摺杆１２の前後端部に夫々横向きに突設した固定ピン２４を、基板部７の所要部に設けたロック金具２５のロック溝２６に挿入してロックするようになっている。
【００１７】
上記ロック金具２５は、図５の(b)〜(d) に示すように、基板部７上に固定されたＬ字形取付金具２７の片面側上部に取り付けてあって、手摺杆１２の固定ピン２４が上方より嵌合するロック溝２６を有し、このロック溝２６の入口には、常時はバネ（図示せず）の付勢力により図５の(d) に示すようにロック溝２６を閉鎖するロック爪２８が設けられ、このロック爪２８は、操作レバー２９Ａ又は２９Ｂをバネの付勢力に抗して図５の(d) の実線図示位置から仮想線図示位置へと揺動操作することにより、ロック溝２６の入口から退避してロック溝２６を開放するようになっている。
【００１８】
しかして、手摺杆１２を固定するときは、操作レバー２９Ａ又は２９Ｂを揺動操作してロック爪２８を退避させた状態で、手摺支柱１１及び手摺杆１２を折り畳みながら、手摺杆１２の前後端部にある固定ピン２４をロック金具２５のロック溝２６に嵌合し、操作レバー２９Ａ又は２９Ｂを元の位置へ戻すことにより、ロック爪２８をロック溝２６の入口に進入させて固定ピン２４をロック溝２６にロックし、それにより手摺杆１２を固定することができる。
【００１９】
尚、ロック金具２５は、図２の(a) 及び図５の(a) に示すように基板部７の前後両端部側に設けているため、使用に際しては、両ロック金具２５の両操作レバー２９Ａ（又は２９Ｂ）を同時に操作する必要があるが、そのためには例えば、一方のロック金具２５の操作レバー２９Ａと他方のロック金具２５の操作レバー２９Ａとをワイヤー又はロッドにより連動連結しておけばよい。
【００２０】
次に、上記のように構成されるタンクローリーの手摺り３の作用について説明すると、手摺り３は、タンク上部の防護枠２内で作業を行う時以外は、折り畳んで、手摺杆固定手段１３により手摺杆１２を固定しておく。このように、折り畳んだ手摺り３の手摺杆１２を固定しておけば、タンクローリーの走行中に手摺り３が振動でガタついたり、またそのガタツキによって部材が破損するようなことがない。
【００２１】
しかして、タンク上部の防護枠２内においてマンホール蓋部の開閉作業や底弁の開閉操作等を行う際は、手摺杆固定手段１３による手摺杆１２の固定を解除して、手摺杆１２を持ち上げ、各手摺支柱１１を直立させた状態で、所定の手摺支柱１１を支柱固定手段１３により固定することによって、手摺り３を使用可能な状態に設置する。
【００２２】
このようにタンク上部の防護枠２内に手摺り３を設置することによって、防護枠２内でのマンホール蓋部の開閉作業や底弁の開閉操作等を安全に行うことができる。即ち、防護枠２内で作業者が立ったまま作業を行っている時に作業者は手摺り３の手摺杆１２で手を支えることができるため、安心して作業が行えると共に、足を滑らせるなどして倒れる状態になっても、手や体の一部を手摺り３の手摺杆１２や手摺支柱１１にあずけることができるので、防護枠２から落下する危険性を回避することができる。
【００２３】
また、手摺り３は、防護枠２の一方側のサイド枠部４の基板部７上にタンク長手方向に一定間隔おきに設けられた支柱受け１０と、各支柱受け１０に枢着されて、基板部７上面に近接するように折り畳み可能な複数本の手摺支柱１１と、各手摺支柱１１の上端部をつなぐように各手摺支柱１１の上端部に枢支連結されて、手摺支柱１１と平行に折り畳み可能な手摺杆１２と、各手摺支柱１１を直立位置に固定する支柱固定手段１３とからなるため、防護枠２内の片側にコンパクトに折り畳んでおけると共に、手摺り使用時には使用可能な状態に迅速容易にセットすることができる。
【００２４】
上述した実施形態の説明では、手摺り３を、防護枠２の一方のサイド枠部４に沿った位置にのみに設けたが、防護枠２の両サイド枠部４，４側に夫々設けてもよい。また、実施形態に示した支柱固定手段１３は、一例であって、ここに示した以外の構成よりなるものを採用することができる。また手摺杆固定手段１４も、この実施形態によって説明したもの以外の構成よりなる手摺杆固定手段を採用することができる。但し、この実施形態に示した支柱固定手段１３及び手摺杆固定手段１４は、何れも構造が簡単でコンパクトで、安価に製作が可能となる上に、使用が容易である。
【図面の簡単な説明】
【００２５】
【図１】本発明に係るタンクローリーの上部側をその前方から見た斜視図である。
【図２】同タンクローリーの上部側を側方から見た概略側面図である。
【図３】(a) は手摺りの一部拡大正面図、(b) は手摺りの一部拡大側面図である。
【図４】(a) は支柱固定手段の一部拡大側面図、(b) は支柱固定手段の一部拡大平面図で、手摺支柱を固定した状態を示し、(c) は手摺支柱の固定を解除した状態を示す。
【図５】(a) は手摺杆の上下両端部を固定した状態の手摺杆固定手段の拡大正面図、(b) は手摺杆固定手段の正面図、(c) は手摺杆固定手段の側面図、(d) はロック金具の正面図である。
【図６】図５の(a) のＸ−Ｘ線断面図である。
【符号の説明】
【００２６】
１            タンク
２            防護枠
３            手摺り
４            防護枠のサイド枠部
５            防護枠の基板部
１０          支柱受け
１１          手摺支柱
１２          手摺杆
１３          支柱固定手段
１４          手摺杆固定手段
【図１】
2008290570.tif 000003
【図２】
2008290570.tif 000004
【図３】
2008290570.tif 000005
【図４】
2008290570.tif 000006
【図５】
2008290570.tif 000007
【図６】
2008290570.tif 000008